【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
前記端末の一定期間の料金請求にあたり、第三者課金に相当する分を第三者へ課金し、残りの分を端末使用者に課金する料金請求配分を行う事を特徴とし、
前記端末を特定する番号及び前記第三者課金に相当する分に関するデータ登録要求を、前記第三者課金に相当する分が生じた後に第三者コンピュータからインターネットを介して受信した場合にはそれに応じて登録する第三者指示の登録手段と、
端末の一定期間の料金請求にあたり、端末が前記登録手段に登録されているか否かを端末を特定する番号に基づいて判断する判断手段と、
前記登録手段に登録されている端末については、前記登録手段に登録された前記第三者課金に相当する分に基づいて一定期間の料金請求を前記第三者への課金と端末使用者への課金に配分する料金請求管理手段とを有し、
前記登録手段と、前記判断手段と、前記料金請求管理手段を、前記端末が接続される交換局に設けると共に、
該交換局にて前記第三者の登録指示により前記登録手段への登録並びに前記料金請求管理手段による料金請求の配分を行う事と、
前記端末を特定する番号については、前記第三者コンピュータと端末との間のディジタルデータ通信の実行に先立って前記端末から前記第三者コンピュータに対し通信コマンドにより前記端末を特定する番号及びドメイン名を認知させるための送信を行い、それに応じて該第三者コンピュータから該端末へパスワードが発行され、
その後該端末が第三者コンピュータへ通信接続し、前記パスワードを入力して端末使用者の属性を登録し、前記端末を特定する番号と、前記パスワードと、前記回答者情報の３項目を関連付けて第三者コンピュータにてデータ登録保存する手段と該パスワードを用いて該ディジタルデータ通信を実行することを特徴とするアンケート調査システム。
【請求項２】
第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
第三者コンピュータにて、アンケート回答の信頼性を保持する為のチェック手段を有し、
前記チェック手段が、事前に第三者コンピュータに登録された回答者データに基づいて複数の確認質問をアンケート質問内にランダムに付加し、該確認質問に対する回答履歴を保存すると共に有効回答率の割合に応じて該確認質問の頻度を増減させる手段を含むことを特徴とする
アンケート調査システム。
【請求項３】
第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
前記端末として携帯電話を使用し、
第三者コンピュータにて、アンケート回答する為の回答者登録手段を有し、
前記回答者登録手段が、携帯電話からメール送信することによりそのメールアドレスを収得する手段と、収得されたメールアドレスに対してパスワードを発行する手段と、回答者が携帯電話よりインターネット通信を含むディジタルデータ通信により、パスワードとメールアドレスを含む回答者情報を送信し、
前記メールアドレスと、前記パスワードと、前記回答者情報の３項目を関連付けて第三者コンピュータにてデータ登録保存する手段とを含むことを特徴とする
アンケート調査システム。
【請求項４】
第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
アンケート出題する為のアンケート登録手段と、アンケート回答する為の回答
者登録手段と、アンケート回答結果をオークションにかけるオークション手段とを有し、
前記オークション手段が、アンケート調査終了後アンケート結果を除くアンケ
ート内容をインターネット通信のウェブページ上に公開する手段と、
オークションにかけることで得た対価をアンケート出題者及びアンケート回答者に還元する手段とを含むことを特徴とする
アンケート調査システム。
【請求項５】
第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
対価還元手段として、前記端末の一定期間の料金請求にあたり第三者課金に相当する分を第三者へ課金し、残りの分を端末使用者に課金する料金請求配分を行う事を特徴とし、
前記端末を特定する番号及び前記第三者課金に相当する分に関するデータ登録要求を、前記第三者課金に相当する分が生じた後に第三者コンピュータから受信
した場合にはそれに応じて登録する第三者指示の登録手段と、
端末の一定期間の料金請求にあたり、端末が前記登録手段に登録されているか否かを端末を特定する番号に基づいて判断する判断手段と、
前記登録手段に登録されている端末については、前記登録手段に登録された前記第三者課金に相当する分に基づいて一定期間の料金請求を前記第三者への課金と端末使用者への課金に配分する料金請求管理手段とを有し、
前記登録手段と、前記判断手段と、前記料金請求管理手段とを、前記端末が接続される交換局に設けると共に、該交換局にて前記第三者の登録指示により前記登録手段への登録並びに前記料金請求管理手段による料金請求の配分を行う事を特徴とする請求項２、３又は４ に記載のアンケート調査システム。
【請求項６】
アンケート回答時にアンケート回答者を識別する回答者識別手段を有し、
前記回答者識別手段が、アンケート回答する時に、アンケート出題者より通知
されたアンケート識別番号、アンケート出題者が発行したレシートに記載されたデータ、及び使用している端末を特定するデータを入力させる手段と、これらのデータを回答者情報としてデータチェック及び保存することにより回答者の識別を行う手段とを含むことを特徴とする請求項１、２、３又は４に記載のアンケート調査システム。
【請求項７】
前記端末が、携帯電話又は宅内電話回線に接続されたパソコン若しくはウェブＴＶ であることを特徴とする請求項２又は４に記載のアンケート調査システム。
【手続補正２】
【補正対象書類名】明細書
【補正対象項目名】０００８
【補正方法】変更
【補正の内容】
【０００８】
（１）請求項１に係るアンケート調査システムは、第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
前記端末の一定期間の料金請求にあたり、第三者課金に相当する分を第三者へ課金し、残りの分を端末使用者に課金する料金請求配分を行う事を特徴とし、
前記端末を特定する番号及び前記第三者課金に相当する分に関するデータ登録要求を、前記第三者課金に相当する分が生じた後に第三者コンピュータからインターネットを介して受信した場合にはそれに応じて登録する第三者指示の登録手段と、
端末の一定期間の料金請求にあたり、端末が前記登録手段に登録されているか否かを端末を特定する番号に基づいて判断する判断手段と、
前記登録手段に登録されている端末については、前記登録手段に登録された前記第三者課金に相当する分に基づいて一定期間の料金請求を前記第三者への課金と端末使用者への課金に配分する料金請求管理手段とを有し、
前記登録手段と、前記判断手段と、前記料金請求管理手段を、前記端末が接続される交換局に設けると共に、
該交換局にて前記第三者の登録指示により前記登録手段への登録並びに前記料金請求管理手段による料金請求の配分を行う事と、
前記端末を特定する番号については、前記第三者コンピュータと端末との間のディジタルデータ通信の実行に先立って前記端末から前記第三者コンピュータに対し通信コマンドにより前記端末を特定する番号及びドメイン名を認知させるための送信を行い、それに応じて該第三者コンピュータから該端末へパスワードが発行され、
その後該端末が第三者コンピュータへ通信接続し、前記パスワードを入力して端末使用者の属性を登録し、前記端末を特定する番号と、前記パスワードと、前記回答者情報の３項目を関連付けて第三者コンピュータにてデータ登録保存する手段と該パスワードを用いて該ディジタルデータ通信を実行することを特徴とする。
【手続補正３】
【補正対象書類名】明細書
【補正対象項目名】０００９
【補正方法】変更
【補正の内容】
【０００９】
（２）請求項２に係るアンケート調査システムは、第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
第三者コンピュータにて、アンケート回答の信頼性を保持する為のチェック手段を有し、
前記チェック手段が、事前に第三者コンピュータに登録された回答者データに基づいて複数の確認質問をアンケート質問内にランダムに付加し、該確認質問に対する回答履歴を保存すると共に有効回答率の割合に応じて該確認質問の頻度を増減させる手段を含むことを特徴とする。
【手続補正４】
【補正対象書類名】明細書
【補正対象項目名】００１０
【補正方法】変更
【補正の内容】
【００１０】
（３）請求項３に係るアンケート調査システムは、第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
前記端末として携帯電話を使用し、
第三者コンピュータにて、アンケート回答する為の回答者登録手段を有し、
前記回答者登録手段が、携帯電話からメール送信することによりそのメールアドレスを収得する手段と、収得されたメールアドレスに対してパスワードを発行する手段と、回答者が携帯電話よりインターネット通信を含むディジタルデータ通信により、パスワードとメールアドレスを含む回答者情報を送信し、
前記メールアドレスと、前記パスワードと、前記回答者情報の３項目を関連付けて第三者コンピュータにてデータ登録保存する手段とを含むことを特徴とする。
【手続補正５】
【補正対象書類名】明細書
【補正対象項目名】００１１
【補正方法】変更
【補正の内容】
【００１１】
（４）請求項４に係るアンケート調査システムは、第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
アンケート出題する為のアンケート登録手段と、アンケート回答する為の回答
者登録手段と、アンケート回答結果をオークションにかけるオークション手段とを有し、
前記オークション手段が、アンケート調査終了後アンケート結果を除くアンケ
ート内容をインターネット通信のウェブページ上に公開する手段と、
オークションにかけることで得た対価をアンケート出題者及びアンケート回答者に還元する手段とを含むことを特徴とする。
【手続補正６】
【補正対象書類名】明細書
【補正対象項目名】００１２
【補正方法】変更
【補正の内容】
【００１２】
（５）請求項５に係るアンケート調査システムは、請求項２、３、又は４において、第三者コンピュータと端末との間のインターネット通信を含む,ディジタルデータ通信の実行により前記端末の発信に対する対価としての通話可能度数を第三者課金により生じさせる、対価還元を行うアンケート調査システムにおいて、
対価還元手段として、前記端末の一定期間の料金請求にあたり第三者課金に相当する分を第三者へ課金し、残りの分を端末使用者に課金する料金請求配分を行う事を特徴とし、
前記端末を特定する番号及び前記第三者課金に相当する分に関するデータ登録要求を、前記第三者課金に相当する分が生じた後に第三者コンピュータから受信
した場合にはそれに応じて登録する第三者指示の登録手段と、
端末の一定期間の料金請求にあたり、端末が前記登録手段に登録されているか否かを端末を特定する番号に基づいて判断する判断手段と、
前記登録手段に登録されている端末については、前記登録手段に登録された前記第三者課金に相当する分に基づいて一定期間の料金請求を前記第三者への課金と端末使用者への課金に配分する料金請求管理手段とを有し、
前記登録手段と、前記判断手段と、前記料金請求管理手段とを、前記端末が接続される交換局に設けると共に、該交換局にて前記第三者の登録指示により前記登録手段への登録並びに前記料金請求管理手段による料金請求の配分を行う事を特徴とする。
（６）請求項６に係るアンケート調査システムは、請求項１、２、３又は４において、アンケート回答時にアンケート回答者を識別する回答者識別手段を有し、
前記回答者識別手段が、アンケート回答する時に、アンケート出題者より通知
されたアンケート識別番号、アンケート出題者が発行したレシートに記載されたデータ、及び使用している端末を特定するデータを入力させる手段と、これらのデータを回答者情報としてデータチェック及び保存することにより回答者の識別を行う手段とを含むことを特徴とする。
（７）請求項７に係るアンケート調査システムは、請求項２又は４において、前記端末が、携帯電話又は宅内電話回線に接続されたパソコン若しくはウェブＴＶ であることを特徴とする。